(57)【要約】【課題】使用上の便利性を増加させることを可能にするアタッシュケース用プッシュボタン錠を提供する。【解決手段】基座２０、ハウジング３０、アクティブプレート、プッシュボタン錠、シリンダー錠、二つの係止機構７０と二つの連動機構を備える。ハウジング３０は複数の収容溝を有する。アクティブプレートはハウジング３０に向かい合いながら第一位置と第二位置の間を移動可能なようにハウジング３０に装着される。プッシュボタン錠はハウジング３０に装着され、かつハウジング３０に対し上下を移動可能な複数のプッシュボタン、複数の弾性ユニット、一つの移動ユニットと一つの復元ユニットを有する。【選択図】図２
0003133904.tif 000002
【実用新案登録請求の範囲】
【請求項１】
基座と、
少なくとも二つの収容溝を有するハウジングと、
ハウジングに装着されるアクティブプレートと、
ハウジングに装着され、かつ少なくとも二つのハウジングに対し上下を移動可能なプッシュボタン、少なくとも二つの弾性ユニット、一つの移動ユニットと一つの復元ユニットを有し、そのうちのプッシュボタンは第一嵌合溝と第二嵌合溝を有し、第一嵌合溝は第二嵌合溝と相互交錯するように第二嵌合溝の上方に位置付けられ、弾性ユニットはプッシュボタンに被さるように収容溝に装着され、移動ユニットは往復移動可能なようにハウジングに装着され、かつ少なくとも二つの翼部と第一クラッチを有し、復元ユニットは移動可能なハウジングに装着され、かつ移動ユニットに連接されるプッシュボタン錠であって、プッシュボタン錠が解錠状態を呈する場合、移動ユニットのそのうちの一つの翼部はそのうちの一つのプッシュボタンの第一嵌合溝に入り込み、別の翼部は別のプッシュボタンの第二嵌合溝に入り込み、移動ユニットの第一クラッチはアクティブプレートを押し付け、またプッシュボタン錠が施錠状態を呈する場合、翼部はプッシュボタンの第一嵌合溝と第二嵌合溝から分離し、移動ユニットの第一クラッチはアクティブプレートから分離するプッシュボタン錠と、
解錠位置と施錠位置の間を回転可能なようにハウジングに装着され、かつ第二クラッチを有するシリンダー錠であって、シリンダー錠が解錠位置に据えられる場合、第二クラッチはアクティブプレートを押し付け、またシリンダー錠が施錠位置に据えられる場合、第二クラッチとアクティブプレートとは分離するシリンダー錠と、
基座に装着される係止座と、係止座に装着される係止板と、係止板に装着されるプッシュブロックと、係止板とプッシュブロックの間に装着される弾性ユニットとを有し、そのうちの係止板はフックに引っ掛かるレバーを有する二つの係止機構と、
移動可能なように基座に装着され、かつ弾性ユニット、第一連動ユニット、弾性ユニット、第二連動ユニットと第三連動ユニットを有し、そのうちの弾性ユニットはプッシュブロックに突き当たるように第一連動ユニットの一端と係止座の間に装着され、第二連動ユニットの一端は第一連動ユニットの他端に連接され、第二連動ユニットの他端は第三連接ユニットの一端に連接される二つの連動機構と、
を備え、アクティブプレートが第二位置に据えられる場合、第三連動ユニットの他端はアクティブプレートから遮断されるためプッシュブロックの推力を受けることができなく、かつ係止板は係止座に対し移動することができなく、またアクティブプレートが第一位置に据えられる場合、第三連動ユニットの他端はアクティブプレートから遮断されることなく、プッシュブロックの推力を受けることが可能であり、係止板は係止座に対し移動することが可能であることを特徴とするアタッシュケース用プッシュボタン錠。
【請求項２】
プッシュボタンはヘッド部と身部を有し、ヘッド部は底端が身部の頂端に突き当たるように設けられ、身部は回転可能なように収容溝中に装着され、かつ第一嵌合溝と第二嵌合溝を有することを特徴とする請求項１に記載のアタッシュケース用プッシュボタン錠。
【請求項３】
プッシュボタンはさらに複数の位置決めユニットと複数の弾性ユニットとを有し、位置決めユニットはプッシュボタンのヘッド部に装着され、弾性ユニットは別々に位置決めユニットとヘッド部に突き当たるように装着され、また復元ユニットは少なくとも二つの位置決め部を有し、位置決め部はプッシュボタンが下へ移動するのに伴い、位置決めユニットに突き当たることが可能であることを特徴とする請求項２に記載のアタッシュケース用プッシュボタン錠。
【請求項４】
位置決めユニットは斜面を有し、位置決め部は斜面を有し、かつ位置決めユニットの斜面と位置決め部の斜面とは互いに突き当たるように設けられることを特徴とする請求項３に記載のアタッシュケース用プッシュボタン錠。
【請求項５】
身部は底端に溝を有することを特徴とする請求項２に記載のアタッシュケース用プッシュボタン錠。
【請求項６】
スライドユニットは突出部を有し、復元ユニットは長溝を有し、突出部は長溝に入り込むように設けられることを特徴とする請求項１に記載のアタッシュケース用プッシュボタン錠。
【請求項７】
シリンダー錠の第二クラッチは斜面を有し、シリンダー錠が解錠位置に据えられる場合、斜面はアクティブプレートを押し付け、またシリンダー錠が施錠位置に据えられる場合、斜面はアクティブプレートから分離することを特徴とする請求項１に記載のアタッシュケース用プッシュボタン錠。
【考案の詳細な説明】
【技術分野】
【０００１】
本考案はロック、特にプッシュボタン錠とシリンダー錠を兼ね備えるアタッシュケース用ロックに関するものである。
【背景技術】
【０００２】
一般のロックはダイヤル錠とシリンダー錠の二種類に分けられる。アタッシュケース用ロックがダイヤル錠である場合、解錠するのには特定の数字を入力する必要がある。またアタッシュケース用ロックがシリンダー錠である場合、使用者はそれに対応する鍵を鍵穴に挿入して鍵穴を回転させないとアタッシュケースが開かない。
【０００３】
しかし、アタッシュケースのロックがダイヤル錠である場合、解錠番号を忘れてしまうとロックが開かないため、使用者がアタッシュケース内の物件を取り出すのには、修理に出す必要がある。従って使用に不便な点があるだけでなく非常に使用者を困らせる。またダイヤル錠の場合、数字の組合せの変化はあまり多くないため、悪意のある人に解読されたり、アタッシュケース内の物件が盗まれたりしやすい。従って使用者に大きな損失を与える恐れがある。またアタッシュケースのロックがシリンダー錠である場合、鍵を無くしてしまうと、使用者はロックを開けるのにはほかの方法に頼る必要がある。
【考案の開示】
【考案が解決しようとする課題】
【０００４】
本考案の主な目的は、プッシュボタン錠とシリンダー錠を兼ね備えることにより、使用者にプッシュボタン錠による解錠またはシリンダー錠による解錠を選択させ、かつ使用上の便利性を増加させることを可能にするアタッシュケース用プッシュボタン錠を提供することである。
【０００５】
本考案のもう一つの目的は、暗証番号の配列と組み合わせを複雑化し、使用者の需要に応じ暗証番号を変更することにより使用上の安全性を増加させることを可能にするアタッシュケース用プッシュボタン錠を提供することである。
【課題を解決するための手段】
【０００６】
上述の目的を達成するために、本考案によるアタッシュケース用プッシュボタン錠は基座、ハウジング、アクティブプレート、プッシュボタン錠、シリンダー錠、二つの係止機構と二つの連動機構を備える。ハウジングは複数の収容溝を有する。アクティブプレートはハウジングに向かい合いながら第一位置と第二位置の間を移動可能なようにハウジングに装着される。プッシュボタン錠はハウジングに装着され、かつハウジングに対し上下を移動可能な複数のプッシュボタン、複数の弾性ユニット、一つの移動ユニットと一つの復元ユニットを有する。
【０００７】
プッシュボタンは第一嵌合溝と第二嵌合溝を有し、第一嵌合溝は第二嵌合溝と相互交錯するように第二嵌合溝の上方に位置付けられ、弾性ユニットはプッシュボタンに被さるように収容溝に装着され、かつプッシュボタンを上に押す弾力を提供することが可能であり、移動ユニットは往復移動可能なようにハウジングに装着され、かつ複数の翼部と第一クラッチを有する。プッシュボタン錠が解錠状態を呈する場合、そのうちの一つの翼部はそのうちの一つのプッシュボタンの第一嵌合溝に入り込み、別の翼部は別のプッシュボタンの第二嵌合溝に入り込み、移動ユニットの第一クラッチはアクティブプレートを押し付けながらアクティブプレートを第一位置から第二位置へ移動させる。プッシュボタン錠が施錠状態を呈する場合、翼部は第一嵌合溝と第二嵌合溝から分離し、移動ユニットの第一クラッチはアクティブプレートから分離する。
【０００８】
復元ユニットは移動可能なハウジングに装着され、かつ移動ユニットに連接されるため、復元ユニットはアクティブプレートから離れる方向へ移動ユニットを移動させると同時に移動ユニットの翼部をプッシュボタンの第一嵌合溝と第二嵌合溝から分離させることが可能である。シリンダー錠は解錠位置と施錠位置の間を回転可能なようにハウジングに装着され、かつ第二クラッチを有する。シリンダー錠が解錠位置に据えられる場合、第二クラッチはアクティブプレートを押し付けながらアクティブプレートを第一位置から第二位置へ移動させる。またシリンダー錠が施錠位置に据えられる場合、第二クラッチはアクティブプレートから分離する。係止機構は基座に装着される係止座と、係止座に装着される係止板と、係止板に装着されるプッシュブロックと、係止板とプッシュブロックの間に装着される弾性ユニットとを有する。
【０００９】
連動機構は移動可能なように基座に装着され、かつ弾性ユニット、第一連動ユニット、弾性ユニット、第二連動ユニットと第三連動ユニットを有する。弾性ユニットはプッシュブロックに突き当たるように第一連動ユニットの一端と係止座の間に装着され、第二連動ユニットの一端は第一連動ユニットの他端に連接され、第二連動ユニットの他端は第三連接ユニットの一端に連接される。アクティブプレートが第二位置に据えられる場合、第三連動ユニットの他端はアクティブプレートから遮断されるため、プッシュブロックの推力を受けることができない。係止板は係止座に対し移動することができない。またアクティブプレートが第一位置に据えられる場合、第三連動ユニットの他端はアクティブプレートから遮断されることなく、プッシュブロックの推力を受けることが可能である。係止板は係止座に対し移動することが可能である。
【００１０】
これにより本考案は使用者にプッシュボタン錠による解錠またはシリンダー錠による解錠などの選択肢を提供することによりアタッシュケースの使用上の便利性を増加させることが可能である。またプッシュボタン錠の暗証番号はいつでも変更可能なように設けられるため、アタッシュケースの使用上の安全性を増加させることが可能である。
【考案を実施するための最良の形態】
【００１１】
以下、本考案の実施例を図面に基づいて説明する。
図１、図２、図３および図８に示すのは本考案の実施例によるアタッシュケース用プッシュボタン錠１０である。アタッシュケース用プッシュボタン錠１０は基座２０、ハウジング３０、アクティブプレート４０、プッシュボタン錠５０、シリンダー錠６０、二つの係止機構７０と二つの連動機構８０を備える。
【００１２】
図１および図２に示すように基座２０は長形の底殻２２、頂蓋２４と二つの側蓋２６を有する。頂蓋２４は底殻２２の上方に装着され、二つの側蓋２６は別々に頂蓋２４の両側に装着されるため、基座２０は内部に収容室２８を形成することが可能である。頂蓋２４は収容室２８に繋がる１０個の第一孔２４２と一つの第二孔２４４を有する。頂蓋２４は使用者に握らせるためのハンドル２４６を有する。
【００１３】
ハウジング３０は基座２０の収容室２８中に装着され、かつハウジング３０は上蓋３２と下蓋３４が合わさることにより形成される。上蓋３２は第一孔２４２に対応する１０個のプッシュボタン錠用孔３２２と第二孔２４４に対応する一つのシリンダー錠用孔３２４を有する。下蓋３４はプッシュボタン錠用孔３２２に対応する１０個の収容溝３４２とシリンダー錠用孔３２４に対応する一つの陥凹部３４４を有する。また下蓋３４は陥凹部３４４に繋がるスリット３４６を有する。
【００１４】
アクティブプレート４０は下蓋３４の陥凹部３４４内に装着され、かつ第一弾力ユニット４２の弾力により第一位置と第二位置の間を移動することが可能である。またアクティブプレート４０はストッパー４４と延伸部４６を有し、そのうちのストッパー４４は下蓋３４のスリット３４６から露出するように設けられる。
【００１５】
図４と図５に示すように、プッシュボタン錠５０はハウジング３０に装着される。かつプッシュボタン錠５０は１０個のプッシュボタン５１ａ、５１ｂ、複数の位置決めユニット５２、複数の第二弾性ユニット５３、複数の第三弾性ユニット５４、一つの移動ユニット５５と一つの復元ユニット５６を有する。プッシュボタン５１ａ、５１ｂはヘッド部５１１と身部５１２を有する。
【００１６】
図５に示すようにヘッド部５１１は陥凹溝５１３を有し、かつヘッド部５１１は上蓋３２のプッシュボタン錠用孔３２２と頂蓋２４の第一孔２４２から露出するように設けられるため、使用者の推力によりプッシュボタン錠５１ａ、５１ｂをハウジング３０に対し上下へ移動させることが可能である。身部５１２の頂端はヘッド部５１１の底端に突き当たり、身部５１２の底端は下蓋３４の収容溝３４２中に装着され、かつ収容溝３４２中を回転することが可能である。また身部５１２は頂端に二つの第一嵌合溝５１４、二つの第一ストッパー５１５、二つの第二嵌合溝５１６と二つの第二ストッパー５１７を有する。
【００１７】
第一嵌合溝５１４と第一ストッパー５１５は別々に第二嵌合溝５１６と第二ストッパー５１７の上方に位置付けられる。かつ第一嵌合溝５１４と第一ストッパー５１５は相互交錯するように配列され、第二嵌合溝５１６と第二ストッパー５１７は相互交錯するように配列され、第一嵌合溝５１４と第二嵌合溝５１６は互いにずれるようにして設けられる。また身部５１２は底端に溝５１８を有するため、使用者は溝に工具を差し込むことにより身部５１２を回すことが可能である。
【００１８】
位置決めユニット５２はヘッド部５１１の陥凹溝５１３中に装着される。また位置決めユニット５２は斜面を有する。第二弾性ユニット５３はヘッド部５１１の陥凹溝５１３中に装着され、かつ別々に位置決めユニット５２と陥凹溝５１３の内壁に突き当たるため、位置決めユニット５２を外側へ押す弾力を提供することが可能である。第三弾性ユニット５４は身部５２１に被さるように下蓋３４の収容溝３４２中に装着されるため、プッシュボタン５１ａ、５１ｂを上に押す弾力を提供することが可能である。
【００１９】
移動ユニット５５は下蓋３４の上方に装着され、かつ第四弾力ユニット５７の弾力によりアクティブプレート４０の方向へ移動することが可能である。また移動ユニット５５は左右両側に水平に延伸される五つの翼部５５２を別々に有する。翼部５５２はプッシュボタン５１ａ、５１ｂが上下を移動するのに伴い、プッシュボタン５１ａ、５１ｂの第一嵌合溝５１４または第二嵌合溝５１６に入り込む、或いはプッシュボタン５１ａ、５１ｂの第一ストッパー５１５または第二ストッパー５１７から遮断される。
【００２０】
図８に示すように移動ユニット５５は前端に第一クラッチ５５４を有し、第一クラッチ５５４はアクティブプレート４０を押し付けながらアクティブプレート４０を第一位置から第二位置へ移動させるができる第一斜面５５６を有する。移動ユニット５５は後端に近い位置に突出部５５８を有する。回復ユニット５６は引っ張り部５６２と横棒５６４を有する。引っ張り部５６２は外部に露出するように上蓋３２に装着されるため、使用者に引っ張らせることが可能である。
【００２１】
横棒５６４は移動ユニット５５の上方に位置するように引っ張り部５６２に連接され、かつ横棒５６４の後端は第五弾性ユニット５８の弾力によりアクティブプレート４０の方向へ移動することが可能である。また横棒５６４は左右両側に位置決めユニット５２に対応する１０個の位置決め部５６６を有し、位置決め部５６６は斜面５２２に対応する斜面５６８を有する。また横棒５６４は底側に長溝５６９を有し、移動ユニット５５の突出部５５８は長溝５６９に入り込むように設けられる。
【００２２】
シリンダー錠６０は上蓋３２のシリンダー錠用孔３２４と頂蓋２４の第二孔２４４から露出するようにハウジング３０に装着される。シリンダー錠６０は頂端の鍵穴６２と底端から延伸して形成される第二クラッチ６４を有し、第二クラッチ６４はらせん状の第二斜面６４２を有する。またシリンダー錠６０はハウジング３０に対し解錠位置と施錠位置の間を回転することが可能である。シリンダー錠６０の鍵穴６２に鍵を差し込んで回すと、図９に示すようにシリンダー錠６０は解錠位置に据えられ、第二クラッチ６４は同期回転し、第二斜面６４２はアクティブプレート４０の延伸部４６を押し付けながらアクティブプレート４０を第一位置から第二位置へ移動させる。またシリンダー錠６０が施錠位置に据えられる場合、第二クラッチ６４の第二斜面６４２はアクティブプレート４０の延伸部４６から分離する。
【００２３】
図６に示すように、係止機構７０は係止座７１、係止板７２、固定棒７３と固定板７４を有する。図８に示すように二つの係止座７１は底殻２２の両端に別々に連接され、係止座７１の一側に係止孔７１２を別々に有し、係止座７１の一端に孔７１４を有する。係止板７２は一端が係止座７１に装着される。また係止板７２は底面から延伸して形成されるレバー７２２を有し、レバー７２２はスライド溝７２４を有する。固定棒７３はスライド溝７２４に入り込むように装着される。固定板７４は係止板７２の底側に固定される。また係止機構７０はプッシュブロック７５と第六弾性ユニット７６を有する。プッシュブロック７５は孔７１４中のプッシュ部７５２においてフックを有し、第六弾性ユニット７６は両端がプッシュブロック７５と係止座７１に突き当たるように設けられる。
【００２４】
図８に示すように、連動機構８０は第一連動ユニット８２、第二連動ユニット８４と第三連動ユニット８６を有する。図６に示すように第一連動ユニット８２は係止座７１中に位置付けられ、かつ第一連動ユニット８２は後端がプッシュブロック７５のプッシュ部７５２に突き当たり、前端が第二連動ユニット８４の後端に引っ掛かるように設けられる。また第一連動ユニット８２と固定板７４の間は第七弾性ユニット８８を有する。第二連動ユニット８４は基座２０の収容室２８中に位置付けられ、第二連動ユニット８４の前端は第三連動ユニット８６の後端に引っ掛かるように設けられる。第三連動ユニット８６は基座２０の収容室２８内に位置付けられる。
【００２５】
アクティブプレート４０が第二位置に据えられる場合、第三連動ユニット８６の前端はアクティブプレート４０のストッパー４４から遮断されるため、プッシュブロック７５は第三連動ユニット８６を動かすことができない。係止板７２は係止座７１に密着する。またアクティブプレート４０が第一位置に据えられる場合、第三連動ユニット８６の前端はアクティブプレート４４のストッパー４４から遮断されることがないため、プッシュブロック７５は第三連動ユニット８６を動かすことが可能である。係止板７２は係止座７１に対し移動することが可能である。
【００２６】
これにより本考案がアタッシュケースに適用される場合、アタッシュケースの二つのフックは二つの係止座７１の二つの係止孔７１２から係止座７１に入り込むことが可能である。使用者がプッシュボタン５１を正確な番号に設定する場合、身部５１２の溝５１８に工具を差し込んで９０度回せば、プッシュボタン５１ａの第一嵌合溝５１４を移動ユニット５５の翼部５５２の方向へ移動させることが可能である。この時、未設定のプッシュボタン５１ｂの第二嵌合溝５１６は移動ユニット５５の翼部５５２の方向へ移動する。
【００２７】
また使用者がプッシュボタンを押していない場合、図７に示すように、移動ユニット５５の翼部５５２はプッシュボタン５１ａの第一ストッパー５１５から遮断されるため、移動ユニット５５を移動させることができない。使用者が正確な番号を押すと、図５に示すように位置決めユニット５２は第二弾性ユニット５３を内部に押し付け、位置決めユニット５２の斜面５２２は位置決め部５６６の斜面５６８に沿いスライドし、位置決めユニット５２と位置決め部５６６とを完全に分離させる。そののち、位置決めユニット５２の頂面は位置決め部５６６の底面から遮断されるため、プッシュボタン５１ａは押し付けられた状態を維持することが可能であり、移動ユニット５５は第四弾性ユニット５７から押し付けられ、そのうちの一つの翼部５５２はプッシュボタン５１ａの第一嵌合溝５１４に入り込み、別の翼部５５２は別のプッシュボタン５１ｂの第二嵌合溝５１６に入り込む。
【００２８】
この時、図８に示すように、第一クラッチ５５４の第一斜面５５６はアクティブプレート４０の延伸部４６を押し付ける。これによりアクティブプレート４０は第一位置から第二位置へ移動することが可能であり、プッシュボタン錠５０は解錠状態を呈する。従って、使用者はプッシュブロック７５を押し、プッシュブロック７５を介して第一連動ユニット８２を前に動かし、そして第一連動ユニット８２を介して第二連動ユニット８４と第三連動ユニット８６を動かすことにより、係止板７２を上に移動させ、プッシュブロック７５のプッシュ部７５２を孔７１４から分離させ、二つのレバー７２２と二つのフックとを分離させ、そしてアタッシュケースを開けることが可能である。
【００２９】
また使用者がアタッシュケースをロックする場合、アタッシュケースの蓋を閉じ、そののち引っ張り部５６２を引っ張ることによりアクティブプレート４０から離れる方向へ横棒５６４を移動させ、続いて長溝５６９端の壁を介して移動ユニット５５の突出部５５８を動かすことによりアクティブプレート４０から離れる方向へ移動ユニット５５を移動させることが可能である。この時、横棒５６４の位置決め部５６６は位置決めユニット５２とは分離し、移動ユニット５５の翼部５５２はプッシュボタン５１ａ、５１ｂの第一嵌合溝５１４と第二嵌合溝５１６から分離し、プッシュボタン５１ａは第三弾性ユニット５４の弾力により上に押し付けられ、本来の位置に復元され、プッシュボタン錠５０は施錠状態を呈する。
【００３０】
また使用者がプッシュボタンを間違えた場合、移動ユニット５５の翼部５５２はまだプッシュボタン５１ａの第一ストッパー５１５から遮断されるため、移動ユニット５５を前に移動させることも、アクティブプレート４０を第二位置に移動させることもできない。従ってアタッシュケースを開けることができない。
【００３１】
図９に示すように、使用者がプッシュボタン錠５０の番号を忘れてしまった場合、シリンダー錠６０の鍵穴６２に鍵を差し込んで回せばよい。この時、シリンダー錠６０の第二クラッチ６４の第二斜面６４２はアクティブプレート４０を押し付けながらアクティブプレート４０を第一位置から第二位置へ移動させるため、第三連動ユニット８６はアクティブプレート４０のストッパー４４から遮断されることがない。これにより使用者はプッシュブロック７５を介して第一連動ユニット８２、第二連動ユニット８４と第三連動ユニット８６を動かすことにより係止板７１を上に移動させ、アタッシュケースを開けることが可能である。
【００３２】
また使用者がプッシュボタン錠５０の暗証番号を変更する場合、設定したい番号のプッシュボタンの底端の溝５２８に工具を差し込んで力を加えて９０度回すことにより、プッシュボタンの第一嵌合溝５１４を移動ユニット５５の翼部５５２へ移動させれば、番号変更が完了する。
【００３３】
上述の通り、本考案はプッシュボタン錠とシリンダー錠を取り組む設計を採用するため、使用者にプッシュボタン錠による解錠またはシリンダー錠による解錠などの選択肢を提供することが可能なだけでなく、使用上の便利性を増加させることが可能である。またプッシュボタン錠の数字の配列と組み合わせは非常に複雑であるため、解読されにくい。従ってアタッシュケースの使用上の安全性を増加させることが可能である。
【図面の簡単な説明】
【００３４】
【図１】本考案の実施例の斜視図である。
【図２】本考案の実施例の一部分の分解図である。
【図３】本考案によるプッシュボタン錠の分解図である。
【図４】本考案の実施例によるプッシュボタン錠の平面図である。
【図５】図４の５−５線に沿う断面図である。
【図６】本考案の実施例による係止機構の分解図である。
【図７】本考案の実施例の施錠状態を呈するプッシュボタン錠の断面図である。
【図８】本考案の実施例の解錠状態を呈するプッシュボタン錠の断面図である。
【図９】本考案の実施例のシリンダー錠が解錠位置に据えられた状態を示す断面図である。
【符号の説明】
【００３５】
１０：アタッシュケース用プッシュボタン錠、２０：基座、２２：底殻、２４：頂蓋、２４２：第一孔、２４４：第二孔、２４６：ハンドル、２６：側蓋、２８：収容室、３０：ハウジング、３２：上蓋、３２２：プッシュボタン錠用孔、３２４：シリンダー錠用孔、３４：下蓋、３４２：収容溝、３４４：陥凹部、３４６：スリット、４０：アクティブプレート、４２：第一弾性ユニット、４４：ストッパー、４６：延伸部、５０：プッシュボタン錠、５１ａ、５１ｂ：プッシュボタン、５１１：ヘッド部、５１２：身部、５１３：陥凹溝、５１４：第一嵌合溝、５１５：第一ストッパー、５１６：第二嵌合溝、５１７：第二ストッパー、５１８：溝、５２：位置決めユニット、５２２：斜面、５３：第二弾性ユニット、５４：第三弾性ユニット、５５：移動ユニット、５５２：翼部、５５４：第一クラッチ、５５６：第一斜面、５５８：突出部、５６：復元ユニット、５６２：引っ張り部、５６４：横棒、５６６：位置決め部、５６８：第二斜面、５６９：長溝、５７：第四弾性ユニット、５８：第五弾性ユニット、６０：シリンダー錠、６２：鍵穴、６４：第二クラッチ、６４２：第二斜面、７０：係止機構、７１：係止座、７１２：係止孔、７１４：孔、７２：係止板、７２２：レバー、７２４：スライド溝、７３：固定棒、７４：固定板、７５：プッシュブロック、７５２：プッシュ部、７６：第六弾性ユニット、８０：連動機構、８２：第一連動ユニット、８４：第二連動ユニット、８６：第三連動ユニット、８８：第七弾性ユニット
【図１】
0003133904.tif 000003
【図２】
0003133904.tif 000004
【図３】
0003133904.tif 000005
【図４】
0003133904.tif 000006
【図５】
0003133904.tif 000007
【図６】
0003133904.tif 000008
【図７】
0003133904.tif 000009
【図８】
0003133904.tif 000010
【図９】
0003133904.tif 000011